(57)【要約】      （修正有）【課題】柔軟な袋体（廃材袋）を大きく開口した状態で自立させることを可能としながら、袋体への挿抜を容易とし同時に袋体の破損・変形を防止可能とする廃材袋用ガラ入れ楽々プロテクターを提供する。【解決手段】弾性変形可能な薄肉平板状のプラスチック製シートであり、弾性変形させて筒状に丸めた状態としてビニール袋やガラ袋などの柔軟な袋体（廃材袋）２０の内側２２に挿入された際には、丸められた状態からの自身の復元力で袋体２０の上辺２１を開口状態に保持しながら袋体２０の自立保持を行う袋体２０の自立保持シート（廃材袋用ガラ入れ楽々プロテクター）１０であって、袋体２０の内側２２に挿入される部分１１Ａに対して面取り及びＲカットがなされている。【選択図】図１
0003197341.tif 000002
【実用新案登録請求の範囲】
【請求項１】
柔軟な袋体の内側に挿入され、丸められた状態からの復元力で該袋体の上辺を開口状態に保持しながら該袋体の自立保持を行う廃材袋用ガラ入れ楽々プロテクターであって、
前記袋体の内側に挿入される部分に対して面取り及びＲカットがなされていることを特徴とする廃材袋用ガラ入れ楽々プロテクター。
【請求項２】
請求項１において、
前記袋体を自立保持した際に、該袋体の上辺側に来る部分に貫通孔を備えることを特徴とする廃材袋用ガラ入れ楽々プロテクター。
【請求項３】
請求項１または２において、
前記袋体を自立保持した際には、該袋体の上辺から突出する大きさとされていることを特徴とする廃材袋用ガラ入れ楽々プロテクター。
【請求項４】
請求項３において、
前記袋体の上辺から突出する部分であって、自身に隠されない外周部分に、使用者名及び該袋体に収納される品種が表示される表示部を有することを特徴とする廃材袋用ガラ入れ楽々プロテクター。
【考案の詳細な説明】
【技術分野】
【０００１】
本考案は、廃材袋用ガラ入れ楽々プロテクターに係り、特に、柔軟な袋体（廃材袋）を大きく開口した状態で自立させることを可能としながら、袋体への挿抜が容易で且つ挿抜の際の袋体の破損・変形を防止可能な廃材袋用ガラ入れ楽々プロテクターに関する。
【背景技術】
【０００２】
従来、特許文献１に示すような袋体の自立保持シートが提案されていた。この自立保持シートは、布や樹脂フィルムなどでできた柔軟な袋体の内側に挿入され、丸められた状態からの復元力で該袋体の上辺を開口状態に保持しながら該袋体の自立保持を行うことができる。このため、この自立保持シートでは、柔軟な袋体を大きく開口した状態で自立させることを可能としているので、袋詰めの作業を容易に行うことが可能となっている。なお、この自立保持シートは、袋体に対象物を相応に収納した段階で、袋体から抜き取られて、再利用されることとなる。
【先行技術文献】
【特許文献】
【０００３】
【特許文献１】特開２００７−１２６１９７号公報
【考案の概要】
【考案が解決しようとする課題】
【０００４】
しかしながら、特許文献１で用いられる袋体は、例えば樹脂製の紐や細テープを編んだ織り地によって成形されているガラ袋（廃材袋）である。自立保持シートを挿入する際にはガラ袋が膨らんだ状態ではないので、自立保持シートの端部がその織り地に引っ掛ってしまうおそれがある。そして、引っ掛った状態で強引に自立保持シートを挿入しようとすると、ガラ袋の破損・変形などが生じるおそれもある。また、自立保持シートを引き抜くときにも、自立保持シートは収納された対象物でガラ袋に圧迫された状態となるので、やはり上述したような問題点が生じるおそれがある。
【０００５】
なお、特許文献１では、袋体としてビニールの袋なども対象とされている。この場合であっても、自立保持シートとビニールの袋との関係については上述のような問題点が同様に生じるおそれがある。
【０００６】
本考案は、前記の問題点を解決するべくなされたもので、柔軟な袋体（廃材袋）を大きく開口した状態で自立させることを可能としながら、袋体への挿抜が容易で且つ挿抜の際の袋体の破損・変形を防止可能な袋体の自立保持シートである廃材袋用ガラ入れ楽々プロテクターを提供することを課題とする。
【課題を解決するための手段】
【０００７】
本考案は、以下の実施例により上記課題を解決することができる。
【０００８】
（１）柔軟な袋体（廃材袋）の内側に挿入され、丸められた状態からの復元力で該袋体の上辺を開口状態に保持しながら該袋体の自立保持を行う廃材袋用ガラ入れ楽々プロテクターであって、前記袋体の内側に挿入される部分に対して面取り及びＲカットがなされていることを特徴とする廃材袋用ガラ入れ楽々プロテクター。
【０００９】
本実施例では、袋体の内側の表面に接触する自立保持シート（廃材袋用ガラ入れ楽々プロテクター）の部分が面取り及びＲカットされているので自立保持シートの表面が平滑な状態であり、自立保持シートが袋体の内側の表面に引っ掛ってしまうことを防止することが可能となる。
【００１０】
（２）前記袋体を自立保持した際に、該袋体の上辺側に来る部分に貫通孔を備えることを特徴とする（１）に記載の廃材袋用ガラ入れ楽々プロテクター。
【００１１】
（３）前記袋体を自立保持した際には、該袋体の上辺から突出する大きさとされていることを特徴とする（１）または（２）に記載の廃材袋用ガラ入れ楽々プロテクター。
【００１２】
（４）前記袋体の上辺から突出する部分であって、自身に隠されない外周部分に、使用者名及び該袋体に収納される品種が表示される表示部を有することを特徴とする（３）に記載の廃材袋用ガラ入れ楽々プロテクター。
【考案の効果】
【００１３】
本考案によれば、柔軟な袋体を大きく開口した状態で自立させることを可能としながら、袋体への挿抜を容易とし同時に袋体の破損・変形が防止可能となる。
【図面の簡単な説明】
【００１４】
【図１】本考案の実施例に係る自立保持シート（廃材袋用ガラ入れ楽々プロテクター）を袋体に挿入した状態の一例を示す斜視図
【図２】自立保持シートと袋体との大きさの関係を示す上面図（（Ａ）本実施例、（Ｂ）変形例）
【図３】自立保持シートを示す模式図（（Ａ）正面図、（Ｂ）側面図）
【考案を実施するための形態】
【００１５】
以下、添付図面を参照しつつ、本考案の実施の形態について詳細に説明する。
【実施例】
【００１６】
本考案の実施例に係る廃材袋用ガラ入れ楽々プロテクターについて、図面を参照して、説明する。なお、以下では廃材袋用ガラ入れ楽々プロテクターを自立保持シートと称する。そして、図１に示す自立保持シート１０が挿抜される袋体（廃材袋）２０は、従来技術で示したガラ袋やビニール袋などである。ガラ袋は、樹脂製の紐や細テープを編んだ厚手の織り地を備えており、土木建築、構築現場で発生する廃材や残土などを対象物として収納するのに用いられる。また、ビニール袋は、例えばスーパーマーケットやコンビニエンスストアで有償・無償で配布されるものであり、購入した商品を対象物として収納するのに用いられる。あるいは、ビニール袋は、不燃物、可燃物、プラスチック、生ゴミなどの分別用の一般的なごみ袋であってもよい（屋内外で使用可能）。いずれも、柔軟かつ軽量であるので、畳んだり丸めたりした嵩張らない状態にすることができ、持ち運びが容易である。このため、このような袋体２０では、内側２２に何も存在しない状態では、単体で上辺２１を大きく開口させた状態としながら、安定して自立させることは困難である。
【００１７】
図３（Ａ）、（Ｂ）に示す自立保持シート１０は、薄肉平板状のプラスチック製シートとされている。ここでのプラスチック製シートとは、ポリプロピレンテレフタレート（ＰＥＴ）、ポリ塩化ビニル（ＰＶＣ）、ポリエチレン（ＰＥ）、ポリプロピレン（ＰＰ）、ポリスチレン（ＰＳ）などを含む弾性変形可能な部材をいうものとする。自立保持シート１０は、使用者の手で容易に弾性変形させて筒状に丸めることが可能とされている。このため、自立保持シート１０の大きさや材質に応じてその厚みＴは異なっている。本実施例では、厚みＴは最大で２ｍｍ程度とされている。
【００１８】
自立保持シート１０は、通常の状態が平らな状態、あるいは相応の曲率Ｒで湾曲した状態とされ、複数枚（例えば５枚から１０枚）が重ねて保存される（販売される形態であってもよい）。即ち、自立保持シート１０が弾性変形可能な範囲で通常の状態から筒状に丸められた際には、通常の状態まで戻ろうとする復元力が働く。つまり、自立保持シート１０が筒状に丸められて袋体２０の内側２２に挿入された際には、自立保持シート１０の復元力により、袋体２０が膨らむこととなる。
【００１９】
自立保持シート１０は、図３（Ａ）に示す如く、略長方形とされている。自立保持シート１０の横方向長さＷと通常の状態の自立保持シート１０の側辺１５、１６間の距離Ｌ０との和は、袋体２０の内周長さＬよりも長くされている（Ｗ＋Ｌ０＞Ｌ、Ｌ０≦Ｗ／２）。ここで、「距離Ｌ０」とは、自立保持シート１０を袋体２０に挿入しない状態における側辺１５、１６間の直線距離を指している。即ち、自立保持シート１０は、袋体２０の内側２２に筒状に丸めた状態で挿入されると、通常の状態まで戻らない大きさとされている。なお、図２（Ａ）の本実施例では、自立保持シート１０の横方向長さＷが袋体２０の内周長さＬよりも長くされている場合を示している（Ｗ＞Ｌ）。また、図２（Ｂ）の変形例は、自立保持シート１０Ａの横方向長さＷと距離Ｌ０との和が袋体２０Ａの内周長さＬよりも長くされ、且つ横方向長さＷが内周長さＬよりも短くされている場合を示している（Ｗ＋Ｌ０＞Ｌ、Ｗ＜Ｌ）。なお、図２（Ｂ）の距離Ｌ１は距離Ｌ０よりも小さくされている（Ｌ１＜Ｌ０）。
【００２０】
例えば、自立保持シート１０の通常の状態が平らであれば、横方向長さＷと距離Ｌ０とは等しくなる（Ｗ＝Ｌ０）。つまり、横方向長さＷは、内周長さＬの半分よりも長くされている（Ｗ＞Ｌ／２）。このとき、自立保持シート１０の袋体２０の内側２２への挿入で、平らな状態に戻ろうとする復元力が自立保持シート１０に働く。しかし、横方向長さＷと内周長さＬとの関係で完全には自立保持シート１０が平らに戻ることはできずに、自立保持シート１０は湾曲した状態で袋体２０を広げた状態に保つことができる。
【００２１】
また、自立保持シート１０の通常の状態が相応の曲率Ｒで湾曲していれば、自立保持シート１０の袋体２０の内側２２への挿入で、元の曲率Ｒで湾曲した状態に戻ろうとする復元力が自立保持シート１０に働く。しかし、横方向長さＷと内周長さＬとの関係で完全には自立保持シート１０が元の曲率Ｒに戻ることはできずに、自立保持シート１０は元の曲率Ｒよりも湾曲した状態で袋体２０を広げた状態に保つことができる。
【００２２】
即ち、自立保持シート１０は、袋体２０を押し広げて、上辺２１を上方向Ｚに開口した状態にしながら袋体２０の底面を広げ、床または地面上で、袋体２０を有底容器形状として自立させる。言い換えれば、自立保持シート１０は、柔軟な袋体２０の内側２２に挿入され、丸められた状態からの復元力で袋体２０の上辺２１を開口状態に保持しながら袋体２０の自立保持を行うことができる構成となっている。
【００２３】
なお、自立保持シート１０の縦方向長さＨは、袋体２０の縦方向長さＨ０よりも長くされている（Ｈ＞Ｈ０）。このため、図１に示す如く、自立保持シート１０が袋体２０を自立保持した際には、自立保持シート１０が袋体２０の上辺２１から突出する大きさとされている（これに限らず、自立保持シートが袋体を自立保持した際にも、自立保持シートが袋体の上辺から突出しない大きさであってもよい）。即ち、自立保持シート１０は、図１、図３（Ａ）に示す如く、袋体２０の内側２２に挿入される部分１１Ａと、袋体２０の内側２２に挿入されずに、袋体２０の上辺２１から突出する部分１１Ｂと、を有する。袋体２０の内側２２に挿入される部分１１Ａに対しては、図３（Ｂ）に示す如く、自立保持シート１０の厚み方向で、下辺１２及び側辺１５、１６の端部を丸めて面取りを施している。また、袋体２０の内側２２に挿入される部分１１Ａとなる下辺１２の隅１３、１４については角がとられゆるやかな曲線で成形（Ｒカット）がなされている。即ち、自立保持シート１０では、袋体２０の内側２２に挿入される部分１１Ａに対して面取り及びＲカットがなされている構成となっている。
【００２４】
一方、袋体２０の内側に挿入されずに、袋体２０の上辺２１から突出する部分１１Ｂには、貫通孔１８及び表示部１９が設けられている。つまり、自立保持シート１０は、袋体２０を自立保持した際に、袋体２０の上辺２１側に来る部分１１Ｂに貫通孔１８を備えている（これに限らず、袋体の上辺側に来る部分に貫通孔を備えていなくてもよい）。このため、この貫通孔１８に作業者が手をかけて、自立保持シート１０を袋体２０から引き抜くことが容易である。また、貫通孔１８を使うことで、汚れた自立保持シート１０を洗浄した場合に、自立保持シート１０を支持して乾燥させることが容易である。
【００２５】
表示部１９は、自立保持シート１０を丸めた際に自身に隠されない外周部分に設けられている。表示部１９には、使用者名及び袋体２０に収納される品種（対象物）を表示することができる。即ち、自立保持シート１０には、袋体２０の上辺２１から突出する部分１１Ｂであって、自身に隠されない外周部分に、使用者名及び袋体２０に収納される品種が表示される表示部１９を有する（これに限らず、袋体の上辺から突出する部分であって、自身に隠されない外周部分に、使用者名及び袋体に収納される品種が表示されなくてもよい）。これにより、袋体２０の使用者の識別が容易となり、袋体２０に収納される品種を混同してしまうことを防止することができる。具体的に、表示部１９に表示を実現するには、実際に油性ペンで手書きしてもよいし、予め印刷（刻印を含む）しておいてもよい。なお、「自身に隠されない外周部分」とは、自立保持シート１０の横方向長さＷが十分に長い場合に自立保持シート１０が丸められた際に一方の端部がもう一方を覆う状態（図１、図２（Ａ））となっても、表示部１９が覆われないことを明確化したものである。
【００２６】
このように、本実施例では、単体では自立困難な袋体２０を、自立保持シート１０を丸めて内側２２に入れるという単純な作業だけで、開口状態に保持しながら袋体２０の自立保持を実現することができる。
【００２７】
そして、自立保持シート１０には、袋体２０の内側２２に挿入される部分１１Ａに対して面取り及びＲカットがなされている。即ち、袋体２０の内側２２の表面が仮に不均一であった場合でも、その表面に接触する自立保持シート１０の部分１１Ａが面取り及びＲカットされているので自立保持シート１０の表面が平滑な状態であり、自立保持シート１０が袋体２０の内側２２の表面に引っ掛ってしまうことを防止することが可能となる。具体的に、袋体２０がガラ袋であれば、自立保持シート１０が接触する表面は織り地とされて、織り地を構成する樹脂製の紐や細テープの一本一本の太さは必ずしも均一ではなく、一部はほつれ、けば立っている場合もある。また、袋体２０がビニール袋であれば、伸縮性や厚みが不均一であったり、一部破損・変形していたりする場合もある。このような場合であっても、自立保持シート１０の袋体２０への挿入を容易とし同時に袋体２０の破損・変形を防止することができる。加えて、自立保持シート１０へかかる応力を低減できるので、自立保持シート１０の破損・変形も防止でき、且つ同じ自立保持シート１０を長期間使用することが可能となる。
【００２８】
また、袋体２０の内側２２に自立保持シート１０が配置されるので、対象物が角張っていたりして収納しにくい物でも、袋体２０の内側２２に対象物が引っ掛かってしまうことを防止でき、円滑且つ効率的に袋体２０に対象物を収納することができる。同時に、袋体２０の容量に見合った量の対象物を袋体２０に安定して収納することができる。
【００２９】
そして、袋体２０に相応の対象物が収納された際には、面取り及びＲカットされた自立保持シート１０を用いているので、自立保持シート１０の袋体２０からの引き抜きを容易とし同時に袋体２０の破損・変形を防止することができる。加えて、自立保持シート１０へかかる応力を低減できるので、自立保持シート１０の破損・変形も防止でき、且つ同じ自立保持シート１０を長期間使用することが可能となる。
【００３０】
即ち、本実施例によれば、柔軟な袋体２０を大きく開口した状態で自立させることを可能としながら、袋体２０への挿抜を容易とし同時に袋体２０の破損・変形が防止可能となる。
【００３１】
なお、通常、１つの自立保持シート１０に対して１つの袋体２０を用いるが、１つの自立保持シート１０に対して２つ以上の袋体２０を用いてもよい。その際には、自立保持シート１０の内側２２に残りの袋体２０を配置するようにしてもよいし、自立保持シート１０の外側に全ての袋体２０を配置するようにしてもよい。あるいは、１つの自立保持シート１０に対して１つ以上の袋体２０を組み合わせた構成を同心状に配置するようにしてもよい。いずれの場合でも、適宜、収納される対象物に応じて自立保持シート１０の引き抜きをせずにそのまま残してもよいし、袋体２０の枚数を変更してもよい。
【００３２】
また、袋体２０と自立保持シート１０との組み合わせを、簡易トイレなどとして使用するようにしてもよい。この場合には、自立保持シート１０の内側２２に消臭材や吸水材などを併用して用いることもできる。
【産業上の利用可能性】
【００３３】
本考案は、柔軟な袋体の内側に挿入され、丸められた状態からの復元力で該袋体の上辺を開口状態に保持しながら該袋体の自立保持を行う廃材袋用ガラ入れ楽々プロテクターに広く適用することができる。
【符号の説明】
【００３４】
１０、１０Ａ…自立保持シート（廃材袋用ガラ入れ楽々プロテクター）
１１Ａ、１１Ｂ…部分
１２…下辺
１３、１４…隅
１５、１６…側辺
１７、２１…上辺
１８…貫通孔
１９…表示部
２０、２０Ａ…袋体
２２、２２Ａ…内側
Ｚ…上方向
【図１】
0003197341.tif 000003
【図２】
0003197341.tif 000004
【図３】
0003197341.tif 000005
【手続補正書】
【提出日】平成27年3月2日(2015.3.2)
【手続補正１】
【補正対象書類名】実用新案登録請求の範囲
【補正対象項目名】全文
【補正方法】変更
【補正の内容】
【実用新案登録請求の範囲】
【請求項１】
弾性変形可能な薄肉平板状のプラスチック製シートであり、弾性変形させて筒状に丸めた状態として柔軟な袋体の内側に挿入された際には、該丸められた状態からの自身の復元力で該袋体の上辺を開口状態に保持しながら該袋体の自立保持を行う廃材袋用ガラ入れ楽々プロテクターであって、
前記袋体の内側に挿入される部分に対して面取り及びＲカットがなされていることを特徴とする廃材袋用ガラ入れ楽々プロテクター。
【請求項２】
請求項１において、
前記袋体を自立保持した際に、該袋体の上辺側に来る部分に貫通孔を備えることを特徴とする廃材袋用ガラ入れ楽々プロテクター。
【請求項３】
請求項１または２において、
前記袋体を自立保持した際には、該袋体の上辺から突出する大きさとされていることを特徴とする廃材袋用ガラ入れ楽々プロテクター。
【請求項４】
請求項３において、
前記袋体の上辺から突出する部分であって、自身に隠されない外周部分に、使用者名及び該袋体に収納される品種が表示される表示部を有することを特徴とする廃材袋用ガラ入れ楽々プロテクター。
【手続補正２】
【補正対象書類名】明細書
【補正対象項目名】０００８
【補正方法】変更
【補正の内容】
【０００８】
（１）弾性変形可能な薄肉平板状のプラスチック製シートであり、弾性変形させて筒状に丸めた状態として柔軟な袋体（廃材袋）の内側に挿入された際には、該丸められた状態からの自身の復元力で該袋体の上辺を開口状態に保持しながら該袋体の自立保持を行う廃材袋用ガラ入れ楽々プロテクターであって、前記袋体の内側に挿入される部分に対して面取り及びＲカットがなされていることを特徴とする廃材袋用ガラ入れ楽々プロテクター。